(57)【要約】【課題】雨水の浸入を防止し、電動機の負荷を軽減し、かつ電動機に入力する電気エネルギーを減少可能な放熱ランプ装置を提供する。【解決手段】ランプハウジング部（１０１）は、倒置された盆状構造物であり、熱伝導体または非熱伝導体により構成される。放熱構造（１０２０）は、良熱伝導体により構成され、その中間頂部と円形、錐形または他の幾何形状を呈し、かつ下方に向く凹孔（１０１０）を備え、凹孔（１０１０）の周りにノッチ（１０４０）を備え、周りの上方に向って放射状に分布する径方向と垂直となる羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成される。【選択図】図５
2013065557.tif 000002
【特許請求の範囲】
【請求項１】
ランプハウジング部（１０１）と、
放熱構造（１０２）と、
電動ターボ式軸流ファン（２００）と、を備え、
ランプハウジング部（１０１）は、倒置された盆状構造物であり、熱伝導体または非熱伝導体により構成され、その中間頂部と円形または錐形を呈し、かつ径方向と垂直となる羽根の放熱構造（１０２）が一体となった構造または結合構造であって、放熱構造（１０２）の底部に発光ダイオード（ＬＥＤ）または他のランプセットを設置し、放熱構造（１０２）の周辺に沿って、リング状の弧形気流誘導面（１０３）を備え、
電動ターボ式軸流ファン（２００）は、内蔵電動機（２０２）に駆動される径方向の排出羽根（２０７）を備えるタービンにより構成され、電動機の静的部下端は、断熱部材（２０４）を経て、放熱構造（１０２）の頂部（１０４）に設置され、
電動機回転部の回転軸（２０６）は、上方に向って延伸して芯軸となり、径方向の排出羽根（２０７）を備えるタービンを駆動し、
電動ターボ式軸流ファン（２００）の底部は、軸方向の流体入口（２０８）を備え、ランプハウジング部（１０１）のリング状の弧形気流誘導面（１０３）へ流れる流体を導入し、放熱構造（１０２）頂部の周辺へ流れてから、更に径方向の排出羽根（２０７）を経て、周りへ排出し、
電動ターボ式軸流ファン（２００）頂部は、密閉頂蓋（２０９）を備えることにより、電動機（２０２）を保護することを特徴とする放熱ランプ装置。
【請求項２】
放熱構造（１０２０）を設置し、かつリング状の弧形気流誘導穴（１０３０）を通して、冷熱気流を導き、
ランプハウジング部（１０１）は、倒置された盆状構造物であり、熱伝導体または非熱伝導体により構成され、
放熱構造（１０２０）は、良熱伝導体により構成され、その中間頂部と円形、錐形または他の幾何形状を呈し、かつ下方に向く凹孔（１０１０）を備え、周りの上方に向って放射状に分布する径方向と垂直となる羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成され、かつ放熱構造（１０２０）とランプハウジング部（１０１）が一体となった構造または個別の構造を組み合わせることにより構成され、放熱構造（１０２０）の底部に発光ダイオード（ＬＥＤ）または他のランプセットを設置し、上蓋（１０００）から気流を誘導し、放熱や外部を固定し、
電動ターボ式軸流ファン（２００）は、内蔵電動機（２０２）に駆動される径方向の排出羽根（２０７）を備えるタービンにより構成され、
電動機の静的部下端は、断熱部材（２０４）を経て、放熱構造（１０２０）の頂部（１０４）に設置され、
電動機回転部の回転軸（２０６）は、上方に向って延伸して芯軸となり、径方向の排出羽根（２０７）を備えるタービンを駆動し、外部気流を放熱構造（１０２０）のリング状の弧形気流誘導穴（１０３０）の軸方向の流体入口（２０８）に導入してから、更に径方向の排出羽根（２０７）を経て、周りへ排出し、
電動ターボ式軸流ファン（２００）頂部は、密閉頂蓋（２０９）を備えることにより、電動機（２０２）を保護することを特徴とする請求項１に記載の放熱ランプ装置。
【請求項３】
放熱構造（１０２０）を設置し、かつリング状の弧形気流誘導穴（１０３０）と中間頂部がノッチ（１０４０）を備える凹孔（１０１０）を通して、冷熱気流を導き、
ランプハウジング部（１０１）は、倒置された盆状構造物であり、熱伝導体または非熱伝導体により構成され、
放熱構造（１０２０）は、良熱伝導体により構成され、その中間頂部と円形、錐形または他の幾何形状を呈し、かつ下方に向く凹孔（１０１０）を備え、凹孔（１０１０）の周りにノッチ（１０４０）を備え、周りの上方に向って放射状に分布する径方向と垂直となる羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成され、かつ放熱構造（１０２０）とランプハウジング部（１０１）が一体となった構造または個別の構造を組み合わせることにより構成され、放熱構造（１０２）の底部に発光ダイオード（ＬＥＤ）または他のランプセットを設置し、上蓋（１０００）から気流を誘導し、放熱や外部を固定し、
電動ターボ式軸流ファン（２００）は、内蔵電動機（２０２）に駆動される径方向の排出羽根（２０７）を備えるタービンにより構成され、
電動機の静的部下端は、断熱部材（２０４）を経て、放熱構造（１０２０）の頂部（１０４）に設置され、
電動機回転部の回転軸（２０６）は、上方に向って延伸して芯軸となり、径方向の排出羽根（２０７）を備えるタービンを駆動し、外部気流を放熱構造（１０２０）のリング状の弧形気流誘導穴（１０３０）の軸方向の流体入口（２０８）に導入してから、更に径方向の排出羽根（２０７）を経て、周りへ排出し、
電動ターボ式軸流ファン（２００）頂部は、密閉頂蓋（２０９）を備えることにより、電動機（２０２）を保護することを特徴とする請求項１に記載の放熱ランプ装置。
【請求項４】
放熱構造（１０２０）を設置し、かつリング状の弧形気流誘導穴（１０３０）と中間頂部が内側に陥凹する支柱体（１０５０）を通して、冷熱気流を導き、
ランプハウジング部（１０１）は、倒置された盆状構造物であり、熱伝導体または非熱伝導体により構成され、
放熱構造（１０２０）は、良熱伝導体により構成され、その中間頂部と円形、錐形または他の幾何形状を呈し、内側に陥凹する支柱体（１０５０）の周辺に、上方に向って放射状に分布する径方向と垂直となる羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成され、かつ放熱構造（１０２０）とランプハウジング部（１０１）が一体となった構造または個別の構造を組み合わせることにより構成され、放熱構造（１０２）の底部に発光ダイオード（ＬＥＤ）または他のランプセットを設置し、上蓋（１０００）から気流を誘導し、放熱や外部を固定し、
電動ターボ式軸流ファン（２００）は、内蔵電動機（２０２）に駆動される径方向の排出羽根（２０７）を備えるタービンにより構成され、
電動機の静的部下端は、断熱部材（２０４）を経て、放熱構造（１０２０）の頂部（１０４）に設置され、
電動機回転部の回転軸（２０６）は、上方に向って延伸して芯軸となり、径方向の排出羽根（２０７）を備えるタービンを駆動し、外部気流を放熱構造（１０２０）のリング状の弧形気流誘導穴（１０３０）の軸方向の流体入口（２０８）に導入してから、更に径方向の排出羽根（２０７）を経て、周りへ排出し、電動ターボ式軸流ファン（２００）頂部は密閉頂蓋（２０９）を備えることにより、電動機（２０２）を保護することを特徴とする請求項１に記載の放熱ランプ装置。
【請求項５】
放熱構造（１０２）または放熱構造（１０２０）の底部に電気エネルギーで駆動する発光ランプセット（３０４）を設置し、
電気エネルギーで駆動する発光ランプセット（３０４）は、
１）  直流入力タイプＬＥＤ照明、
２）  交流入力タイプＬＥＤ照明、
３）  ガスランプセット、
４）  蛍光灯、
５）  電球、
のうち少なくとも１つ以上の、電気エネルギーで駆動する発光ランプセットにより構成されることを特徴とする請求項１、２、３または４に記載の放熱ランプ装置。
【請求項６】
ランプハウジング部（１０１）内部に二次光学装置（３０３）を設置し、
二次光学装置（３０３）は、光反射機能構造体により構成され、発光ランプセット（３０４）の周り（上方）にリング状に設置し、電気エネルギーで駆動する発光ランプセット（３０４）の光エネルギーを反射、屈折集光または拡散することを特徴とする請求項１、２、３または４に記載の放熱ランプ装置。
【請求項７】
ランプハウジング部（１０１）に透光性かさ（３０２）を設置し、
透光性かさ（３０２）は、固定構造及び透光性ガラスにより構成され、ランプハウジング部（１０１）下側に結合し、電気エネルギーで駆動する発光ランプセット（３０４）を保護し、かつ照明機能の障害にはならないことを特徴とする請求項１、２、３または４に記載の放熱ランプ装置。
【請求項８】
電動ターボ式軸流ファン（２００）の周りに頂部ネットカバー（３０１）を設置し、
頂部ネットカバー（３０１）は、網状構造を呈し、電動ターボ式軸流ファン（２００）を保護し、かつランプハウジング部（１０１）に固定することを特徴とする請求項１、２、３または４に記載の放熱ランプ装置。
【請求項９】
放熱構造（１０２）または放熱構造（１０２０）に温度スイッチ（３０５）を設置し、
温度スイッチ（３０５）は、電機式またはダブルメタルシートまたは記憶合金により構成されるエレクトロメカニカルスイッチ、またはサーミスタや熱電対によって駆動される固態スイッチ装置であり、
放熱構造（１０２）または放熱構造（１０２０）に設置した発光ランプセット（３０４）の近い位置に一個または一個以上の温度スイッチ（３０５）を設置し、
電気エネルギーで駆動する発光ランプセット（３０４）から放熱構造（１０２）または放熱構造（１０２０）に設置される温度スイッチ（３０５）へ伝送する温度が温度設定値を超えたとき、全部または一部の電気エネルギーで駆動する発光ランプセット（３０４）の電源を切断することにより、電気エネルギーで駆動する発光ランプセット（３０４）が過熱することを防ぐことを特徴とする請求項１、２、３または４に記載の放熱ランプ装置。
【請求項１０】
固定方式は、
１）  ランプハウジング部（１０１）は、外部の支持アーム（１０）と結合するための構造を備えることにより、支持アーム（１０）と結合すること、
２）  ランプハウジング部（１０１）は、外部の支持棒（２０）と結合するための構造を備えることにより、支持棒（２０）と結合すること、
３）  上蓋（１０００）は、分かれる放熱構造（１０２）または放熱構造（１０２０）を通過する気流と電動ターボ式軸流ファン（２００）から気流間に排出される分かれる構造（３０）を備えること、
４）  吊り下げ装置（４０）に結合することにより、吊り下げるように設置し、吊り下げ装置（４０）に結合する吊り下げ位置は、リング状の弧形気流誘導面（１０３）、上蓋（１０００）または放熱ランプセットの構造体を含むこと、
のうち少なくとも１つ以上を含むことを特徴とする請求項１、２、３または４に記載の放熱ランプ装置。
【発明の詳細な説明】
【技術分野】
【０００１】
本発明は、放熱ランプ装置に関し、特に電動ターボ式軸流ファンを備える放熱ランプ装置に関する。
【背景技術】
【０００２】
風力または熱流により駆動されるタービン軸流ファンは、密封された頂部を備え、複数枚の同士の間に隙間があり、同じ傾斜角で重なり合う径方向の排出羽根をその周辺にリング状に設置し、その中間に下に向かう軸方向の気流入口を備え、作動するとき、排出羽根を通してターボ式軸流の排気機能を形成し、回転するとき、軸方向の気流入口から気流を吸入し、周りへ排出する。現在のハイパワーランプセットは、通常熱伝導材料により頂部が密封された放熱ランプハウジングを構成することにより、雨水の浸入を防止する。
【発明の概要】
【発明が解決しようとする課題】
【０００３】
従来のＬＥＤハウジングの冷却は、自由空冷または冷却ファンで冷却することを含む。後者の冷却ファンの防水は比較的難しく、かつハウジング頂部に雨水浸入防止用の電動ターボ式ファンを設置するものは今まで見たことがない。
【０００４】
本発明は、上述の問題に鑑みてなされたものであり、その目的は、雨水の浸入を防止し、電動機の負荷を軽減し、かつ電動機に入力する電気エネルギーを減少可能な放熱ランプ装置を提供することにある。
【課題を解決するための手段】
【０００５】
本発明は、ランプハウジング部（１０１）と放熱構造（１０２）と電動ターボ式軸流ファン（２００）とを備える。ランプハウジング部（１０１）は、倒置された盆状構造物であり、熱伝導体または非熱伝導体により構成され、その中間頂部と円形または錐形を呈し、かつ径方向と垂直となる羽根の放熱構造（１０２）が一体となった構造または結合構造であって、放熱構造（１０２）の底部に発光ダイオード（ＬＥＤ）または他のランプセットを設置し、放熱構造（１０２）の周辺に沿って、リング状の弧形気流誘導面（１０３）を備える。電動ターボ式軸流ファン（２００）は、内蔵電動機（２０２）に駆動される径方向の排出羽根（２０７）を備えるタービンにより構成され、電動機の静的部下端は、断熱部材（２０４）を経て、放熱構造（１０２）の頂部（１０４）に設置される。電動機回転部の回転軸（２０６）は、上方に向って延伸して芯軸となり、径方向の排出羽根（２０７）を備えるタービンを駆動する。電動ターボ式軸流ファン（２００）の底部は、軸方向の流体入口（２０８）を備え、ランプハウジング部（１０１）のリング状の弧形気流誘導面（１０３）へ流れる流体を導入し、放熱構造（１０２）頂部の周辺へ流れてから、更に径方向の排出羽根（２０７）を経て、周りへ排出する。電動ターボ式軸流ファン（２００）頂部は、密閉頂蓋（２０９）を備えることにより、電動機（２０２）を保護する。
【０００６】
本発明はハイパワーランプセットの封閉式放熱ランプハウジング頂部に、雨水浸入防止用の電動ターボ式軸流ファンを設置し、電動ターボ式軸流ファンが作動するとき、気流は封閉式放熱ランプハウジングの比較的熱いハウジング頂部の外側へ流れ、更に中間に流れ込んでから、上方に向って電動ターボ式軸流ファン下側の軸方向の気流入口に進入し、かつ径方向の排出羽根の働きを通して、周りへ排出する。かつハイパワーランプセットを使用するとき、ハウジングの比較的熱い頂部に対して、外冷式気流による冷却機能を形成する。外部風力によりターボ式軸流ファンを駆動するとき、電動機の負荷が軽減され、かつ電動機に入力する電気エネルギーが減少される。
【０００７】
本発明は放熱ランプハウジング頂部に、電動機に駆動されるターボ式軸流ファンを設置することにより、電動ターボ式軸流ファンが作動するとき、気流由密閉式放熱ランプハウジングの比較的熱いハウジング頂部の外側より中間に流れ込んでから、上方に向って電動ターボ式軸流ファン下側の軸方向の気流入口に進入し、かつ径方向の排出羽根の働きを通して、周りへ排出する。かつハイパワーランプセット、例えばハイパワーＬＥＤランプセットを使用するとき、ＬＥＤハウジングの比較的熱い頂部に対して、外冷式気流による冷却機能を形成する。外部風力によりターボ式軸流ファンを駆動するとき、電動機の負荷が軽減され、かつ電動機に入力する電気エネルギーが減少される。
【図面の簡単な説明】
【０００８】
【図１】本発明の第１実施形態による放熱ランプ装置を示す図。
【図２】本発明の第１実施形態による放熱ランプ装置を示す上面図。
【図３】本発明の第２実施形態による放熱ランプ装置を示す図。
【図４】図３のＡ−Ａ線断面図。
【図５】本発明の第３実施形態による放熱ランプ装置を示す図。
【図６】図５のＢ−Ｂ線断面図。
【図７】本発明の第４実施形態による放熱ランプ装置を示す図。
【図８】図７のＣ−Ｃ線断面図。
【図９】本発明の第５実施形態による放熱ランプ装置を示す図。
【図１０】図９のＤ−Ｄ線断面図。
【図１１】本発明の第６実施形態による放熱ランプ装置を示す図。
【図１２】図１１のＥ−Ｅ線断面図。
【図１３】本発明の第７実施形態による放熱ランプ装置を示す図。
【図１４】本発明の第８実施形態による放熱ランプ装置を示す図。
【発明を実施するための形態】
【０００９】
従来のＬＥＤハウジングの冷却は、自由空冷または冷却ファンで冷却することを含む。後者の冷却ファンの防水は比較的難しく、かつハウジング頂部に雨水浸入防止用の電動ターボ式ファンを設置するものは今まで見たことがない。
【００１０】
風力または熱流により駆動されるタービン軸流ファンは、密封された頂部を備え、及び複数枚の同士の間に隙間があり、同じ傾斜角で重なり合う径方向の排出羽根をその周辺にリング状に設置し、その中間に下に向かう軸方向の気流入口を備え、作動するとき、排出羽根を通してターボ式軸流の排気機能を形成し、回転するとき、軸方向の気流入口から気流を吸入し、周りへ排出する。現在のハイパワーランプセットは、通常熱伝導材料により頂部が密封された放熱ランプハウジングを構成することにより、雨水の浸入を防止する。
【００１１】
本発明は放熱ランプハウジング頂部に、電動機に駆動されるターボ式軸流ファンを設置することにより、電動ターボ式軸流ファンが作動するとき、気流由密閉式放熱ランプハウジングの比較的熱いハウジング頂部の外側より中間に流れ込んでから、上方に向って電動ターボ式軸流ファン下側の軸方向の気流入口に進入し、かつ径方向の排出羽根の働きを通して、周りへ排出する。かつハイパワーランプセット、例えばハイパワーＬＥＤランプセットを使用するとき、ＬＥＤハウジングの比較的熱い頂部に対して、外冷式気流で冷却機能を形成する。外部風力によりターボ式軸流ファンを駆動するとき、電動機の負荷が軽減され、かつ電動機に入力する電気エネルギーが減少される。
【００１２】
（第１実施形態）
図１に本発明の第１実施形態による放熱ランプ装置（ランプセット）を示す。図２に図１の上面図を示す。その主な構成は次の通りである。
【００１３】
放熱ランプ装置は、ランプハウジング部（１０１）および放熱構造（１０２）を備えている。ランプハウジング部（１０１）は、倒置された盆状構造物であり、熱伝導体または非熱伝導体により構成されることを含む。その中間頂部と円形または錐形を呈し、かつ径方向と垂直となる羽根の放熱構造（１０２）が一体となった構造または結合構造である。放熱構造（１０２）の底部に発光ダイオード（ＬＥＤ）または他のランプセットを設置し、ランプハウジング部（１０１）は放熱構造（１０２）の周辺に沿って、リング状の弧形気流誘導面（１０３）を備える。
【００１４】
電動ターボ式軸流ファン（２００）は、内蔵電動機（２０２）に駆動される径方向の排出羽根（２０７）を備えるタービンにより構成される。電動機の静的部下端は、断熱部材（２０４）を経て、放熱構造（１０２）の頂部（１０４）に設置され、電動機回転部の回転軸（２０６）は上方に向って延伸して芯軸となり、径方向の排出羽根（２０７）を備えるタービンを駆動し、電動ターボ式軸流ファン（２００）の底部は軸方向の流体入口（２０８）を備え、ランプハウジング部（１０１）のリング状の弧形気流誘導面（１０３）へ流れる流体を導入し、放熱構造（１０２）頂部の周辺へ流れてから、更に径方向の排出羽根（２０７）を経て、周りへ排出する。電動ターボ式軸流ファン（２００）頂部は密閉頂蓋（２０９）を備えることにより、電動機（２０２）を保護する。
【００１５】
（第２実施形態）
図３に本発明の第２実施形態による放熱ランプ装置を示す。第２実施形態では、放熱構造（１０２０）を設置し、かつリング状の弧形気流誘導穴（１０３０）を通して、冷熱気流を導く。図４に図３のＡ−Ａ線断面図を示す。その主な構成は次の通りである。
【００１６】
ランプハウジング部（１０１）は、倒置された盆状構造物であり、熱伝導体または非熱伝導体により構成されることを含む。放熱構造（１０２０）は良熱伝導体により構成され、その中間頂部と円形、錐形または他の幾何形状を呈し、かつ下方に向く凹孔（１０１０）を備え、また周りの上方に向って放射状に分布する径方向と垂直する羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成される。かつ放熱構造（１０２０）とランプハウジング部（１０１）が一体となった構造または個別の構造を組み合わせることにより構成される。放熱構造（１０２０）の底部に発光ダイオード（ＬＥＤ）または他のランプセットを設置し、上蓋（１０００）から気流を誘導し、また放熱や外部を固定する。
【００１７】
電動ターボ式軸流ファン（２００）は、内蔵電動機（２０２）に駆動される径方向の排出羽根（２０７）を備えるタービンにより構成される。電動機の静的部下端は、断熱部材（２０４）を経て、放熱構造（１０２０）の頂部（１０４）に設置され、電動機回転部の回転軸（２０６）は上方に向って延伸して芯軸となり、径方向の排出羽根（２０７）を備えるタービンを駆動し、外部気流を放熱構造（１０２０）のリング状の弧形気流誘導穴（１０３０）の軸方向の流体入口（２０８）に導入してから、更に径方向の排出羽根（２０７）を経て、周りへ排出する。電動ターボ式軸流ファン（２００）頂部は密閉頂蓋（２０９）を備えることにより、電動機（２０２）を保護する。
【００１８】
（第３実施形態）
図５に本発明の第３実施形態による放熱ランプ装置を示す。第３実施形態では、放熱構造（１０２０）を設置し、かつリング状の弧形気流誘導穴（１０３０）と中間頂部がノッチ（１０４０）を備える凹孔（１０１０）を通して、冷熱気流を導く。図６に図５のＢ−Ｂ線断面図を示す。その主な構成は次の通りである。
【００１９】
ランプハウジング部（１０１）は、倒置された盆状構造物であり、熱伝導体または非熱伝導体により構成されることを含む。放熱構造（１０２０）は良熱伝導体により構成され、その中間頂部と円形、錐形または他の幾何形状を呈し、かつ下方に向く凹孔（１０１０）を備え、凹孔（１０１０）の周りにノッチ（１０４０）を備え、また周りの上方に向って放射状に分布する径方向と垂直となる羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成される。かつ放熱構造（１０２０）とランプハウジング部（１０１）が一体となった構造または個別の構造を組み合わせることにより構成される。放熱構造（１０２）の底部に発光ダイオード（ＬＥＤ）または他のランプセットを設置し、上蓋（１０００）から気流を誘導し、また放熱や外部を固定する。
【００２０】
電動ターボ式軸流ファン（２００）は、内蔵電動機（２０２）に駆動される径方向の排出羽根（２０７）を備えるタービンにより構成される。電動機の静的部下端は、断熱部材（２０４）を経て、放熱構造（１０２０）頂部（１０４）に設置され、電動機回転部の回転軸（２０６）は上方に向って延伸して芯軸となり、径方向の排出羽根（２０７）を備えるタービンを駆動し、外部気流を放熱構造（１０２０）のリング状の弧形気流誘導穴（１０３０）の軸方向の流体入口（２０８）に導入してから、更に径方向の排出羽根（２０７）を経て、周りへ排出する。電動ターボ式軸流ファン（２００）頂部は密閉頂蓋（２０９）を備えることにより、電動機（２０２）を保護する。
【００２１】
（第４実施形態）
図７に本発明の第４実施形態による放熱ランプ装置を示す。第４実施形態では、放熱構造（１０２０）を設置し、かつリング状の弧形気流誘導穴（１０３０）と中間頂部が内側に陥凹する支柱体（１０５０）を通して、冷熱気流を導く。図８に図７のＣ−Ｃ線断面図を示す。その主な構成は次の通りである。
【００２２】
ランプハウジング部（１０１）は、倒置された盆状構造物であり、熱伝導体または非熱伝導体により構成されることを含む。放熱構造（１０２０）は良熱伝導体により構成され、その中間頂部と円形、錐形または他の幾何形状を呈し、また内側に陥凹する支柱体（１０５０）の周辺に、上方に向って放射状に分布する径方向と垂直となる羽根を備え、熱伝導体により構成される外部が円形、錐形または他の幾何形状を呈する上蓋（１０００）に結合し、共同してリング状の弧形気流誘導穴（１０３０）を備える気流誘導孔の放熱構造を構成し、放熱構造（１０２０）とランプハウジング部（１０１）が一体となった構造または個別の構造を組み合わせることにより構成される。かつ放熱構造（１０２０）とランプハウジング部（１０１）が一体となった構造または個別の構造を組み合わせることにより構成される。放熱構造（１０２）の底部に発光ダイオード（ＬＥＤ）または他のランプセットを設置し、上蓋（１０００）から気流を誘導し、また放熱や外部を固定する。
【００２３】
電動ターボ式軸流ファン（２００）は、内蔵電動機（２０２）に駆動される径方向の排出羽根（２０７）を備えるタービンにより構成される。電動機の静的部下端は、断熱部材（２０４）を経て、放熱構造（１０２０）の頂部（１０４）に設置され、電動機回転部の回転軸（２０６）は上方に向って延伸して芯軸となり、径方向の排出羽根（２０７）を備えるタービンを駆動し、外部気流を放熱構造（１０２０）のリング状の弧形気流誘導穴（１０３０）の軸方向の流体入口（２０８）に導入してから、更に径方向の排出羽根（２０７）を経て、周りへ排出する。電動ターボ式軸流ファン（２００）頂部は密閉頂蓋（２０９）を備えることにより、電動機（２０２）を保護する。
【００２４】
上述した図１〜図８に示した電動ターボ式軸流ファンを備える放熱ランプ装置を更に一歩進ませ、その放熱構造（１０２）または放熱構造（１０２０）の底部に電気エネルギーで駆動する発光ランプセット（３０４）を設置することができる。
電気エネルギーで駆動する発光ランプセット（３０４）は、次の一種または一種以上の電気エネルギーで駆動する発光ランプセットにより構成される。
１）  直流入力タイプＬＥＤ照明。
２）  交流入力タイプＬＥＤ照明。
３）  ガスランプセット。
４）  蛍光灯。
５）  電球。
【００２５】
上述した図１〜図８に示した電動ターボ式軸流ファンを備える放熱ランプ装置を更に一歩進ませ、ランプハウジング部（１０１）内部に二次光学装置（３０３）を設置することができる。
【００２６】
二次光学装置（３０３）は、光反射機能構造体により構成される。発光ランプセット（３０４）の周り（上方）にリング状に設置し、電気エネルギーで駆動する発光ランプセット（３０４）の光エネルギーを反射、屈折集光または拡散する。
【００２７】
上述した図１〜図８に示した電動ターボ式軸流ファンを備える放熱ランプ装置を更に一歩進ませ、ランプハウジング部（１０１）に透光性かさ（３０２）を設置することができる。
【００２８】
透光性かさ（３０２）は、固定構造及び透光性ガラスにより構成され、ランプハウジング部（１０１）下側に結合し、電気エネルギーで駆動する発光ランプセット（３０４）を保護し、かつ照明機能の障害にはならない。
【００２９】
上述した図１〜図８に示した電動ターボ式軸流ファンを備える放熱ランプ装置を更に一歩進ませ、電動ターボ式軸流ファン（２００）の周りに頂部ネットカバー（３０１）を設置することができる。
頂部ネットカバー（３０１）は、網状構造を呈し、電動ターボ式軸流ファン（２００）を保護し、かつランプハウジング部（１０１）に固定する。
【００３０】
上述した図１〜図８に示した電動ターボ式軸流ファンを備える放熱ランプ装置を更に一歩進ませ、放熱構造（１０２）または放熱構造（１０２０）に温度スイッチ（３０５）を設置することができる。
【００３１】
温度スイッチ（３０５）は、電機式またはダブルメタルシートまたは記憶合金により構成されるエレクトロメカニカルスイッチ、またはサーミスタや熱電対によって駆動される固態スイッチ装置であり、放熱構造（１０２）または放熱構造（１０２０）に設置した発光ランプセット（３０４）の近い位置に一個または一個以上の温度スイッチ（３０５）を設置し、電気エネルギーで駆動する発光ランプセット（３０４）から放熱構造（１０２）または放熱構造（１０２０）に設置される温度スイッチ（３０５）へ伝送する温度が温度設定値を超えたとき、全部または一部の電気エネルギーで駆動する発光ランプセット（３０４）の電源を切断することにより、電気エネルギーで駆動する発光ランプセット（３０４）が過熱することを防ぐ。
【００３２】
上述した図１〜図８に示した電動ターボ式軸流ファンを備える放熱ランプ装置のランプハウジング部（１０１）は、外部の支持アーム（１０）と結合するための構造を備えることにより、支持アーム（１０）と結合することが可能である。
【００３３】
（第５実施形態）
図９に本発明の第５実施形態による放熱ランプ装置を示す。第５実施形態では、ランプハウジング部（１０１）は、外部の支持アーム（１０）と結合する。図１０に図９のＤ−Ｄ線断面図を示す。
【００３４】
上述した図１〜図８に示した電動ターボ式軸流ファンを備える放熱ランプ装置のランプハウジング部（１０１）は、外部の支持棒（２０）と結合するための構造を備えることにより、支持棒（２０）と結合することが可能である。
【００３５】
（第６実施形態）
図１１に本発明の第６実施形態による放熱ランプ装置を示す。第６実施形態では、ランプハウジング部（１０１）は、外部の支持棒（２０）と結合する。図１２に図１１のＥ−Ｅ線断面図を示す。
【００３６】
上述した図１〜図８に示した電動ターボ式軸流ファンを備える放熱ランプ装置の上蓋（１０００）は、分かれる放熱構造（１０２）または放熱構造（１０２０）を通過する気流と電動ターボ式軸流ファン（２００）から気流間に排出される分かれる構造（３０）を備えることとしてもよい。
【００３７】
（第７実施形態）
図１３に本発明の第７実施形態による放熱ランプ装置を示す。第７実施形態では、ランプハウジング部（１０１）を外部の分かれる構造（３０）と結合する。
【００３８】
上述した図１〜図８に示した電動ターボ式軸流ファンを備える放熱ランプ装置を吊り下げ装置（４０）に結合することにより、吊り下げるように設置することとしてもよい。吊り下げ装置（４０）に結合する吊り下げ位置は、リング状の弧形気流誘導面（１０３）、上蓋（１０００）または放熱ランプセットの構造体を含む。
【００３９】
（第８実施形態）
図１４に本発明の第８実施形態による放熱ランプ装置を示す。第８実施形態では、放熱ランプ装置を吊り下げ装置（４０）に結合する。
【符号の説明】
【００４０】
１０  ・・・・支持アーム
２０  ・・・・支持棒
３０  ・・・・分かれる構造
４０  ・・・・吊り下げ装置
１０１  ・・・ランプハウジング部
１０００  ・・・上蓋
１０１０  ・・・凹孔
１０２、１０２０  ・・・放熱構造
１０３  ・・・リング状の弧形気流誘導面
１０３０  ・・・リング状の弧形気流誘導穴
１０４  ・・・放熱構造頂部
１０４０  ・・・ノッチ
１０５０  ・・・支柱体
２００  ・・・電動ターボ式軸流ファン
２０２  ・・・電動機
２０４  ・・・断熱部材
２０６  ・・・回転軸
２０７  ・・・径方向の排出羽根
２０８  ・・・軸方向の流体入口
２０９  ・・・密閉頂蓋
３０１  ・・・頂部ネットカバー
３０２  ・・・透光性かさ
３０３  ・・・二次光学装置
３０４  ・・・電気エネルギーで駆動する発光ランプセット
３０５  ・・・温度スイッチ
【図１】
2013065557.tif 000003
【図２】
2013065557.tif 000004
【図３】
2013065557.tif 000005
【図４】
2013065557.tif 000006
【図５】
2013065557.tif 000007
【図６】
2013065557.tif 000008
【図７】
2013065557.tif 000009
【図８】
2013065557.tif 000010
【図９】
2013065557.tif 000011
【図１０】
2013065557.tif 000012
【図１１】
2013065557.tif 000013
【図１２】
2013065557.tif 000014
【図１３】
2013065557.tif 000015
【図１４】
2013065557.tif 000016